(57)【特許請求の範囲】
【請求項１】
上下軸方向に所定の間隔で孔付きのフランジが固定され、順次継ぎ足しが可能となる支柱と、両端に上位フランジとの結合金具が取り付けられ、両側に起立させた支柱を結合する水平パイプの途中に、下部広がりに配置することができるよう二本の斜材を枢止し、この斜材の端部に下位フランジとの結合金具が取り付けられた筋交い部材と、対向する筋交い部材の水平パイプ間にかけ渡す足場板とを用い、
前記筋交い部材での結合間隔に一致する間隔で四方の位置に起立配置した支柱を筋交い部材で平面視矩形の枠状に結合すると共に、対向する筋交い部材の水平パイプ間に足場板をかけ渡して基本枠柱体を組み立て、複数の前記基本枠柱体を筋交い部材での結合間隔に一致する距離だけ水平方向へ離れた位置に並べて配置し、隣接する基本枠柱体の支柱を筋交い部材で結合して仮設構造物を構築し、隣接する基本枠柱体の支柱を筋交い部材で結合する場合に、この筋交い部材を、隣接する基本枠柱体の同一垂直外面において、基本枠柱体の筋交い部材と上下に段差を生じさせた配置とすることを特徴とする仮設構造物の構築方法。
【請求項２】
上記支柱を筋交い部材で結合した後、筋交い部材の斜材の下端部間を水平材で結合し、端部支柱の座屈強度を向上させることを特徴とする請求項１に記載の仮設構造物の構築方法。
【発明の詳細な説明】
【０００１】
【発明の属する技術分野】
この発明は、建設工事の支保工等に使用する多機能の仮設構造物とその構築方法に関する。
【０００２】
【従来の技術】
従来、各種建物や土木等の建設工事に使用される支保工は、図１５に示すように、四方に起立させた鋼管製の支柱６１の上端部を座屈防止のための水平材６２で結合し、この水平材６２の途中と支柱６１の途中を斜材６３で結合し、対向する水平材６２間に足場板を架設して角柱枠体とすると共に、これを支柱６１の継ぎ足しと水平材６２及び斜材６３での結合で上方に伸ばし、更に必要ならば、上記支柱６１の側方に支柱６１を起立配置し、水平材６２及び斜材６３で支柱６１相互を結合することにより、必要とする平面的な大きさの支保工を構築するものである。
【０００３】
【発明が解決しようとする課題】
ところで、上記従来の支保工においては、各支柱６１の上端部を水平材６２で結合し、水平材６２の途中と支柱６１の途中を斜材６３で結合したパターンを水平方向及び垂直方向に繰り返す構成になり、各段の水平方向において、水平材６２や斜材６３の配置は同一高さとなっているため、隣接する支柱６１を結合する水平材６２の上下配置間隔が一本の支柱の長さに該当することになり、このため、水平材６２の配置間隔によって決定される支柱６１の座屈長が長くなり、当然支柱６１の荷重支持強度が弱くなり、図１５に一点鎖線で示すように、支保工に大きな負荷がかかると支柱６１に座屈が発生するという問題がある。
【０００４】
また、従来、水平材６２と斜材６３は別の部材になっているため、組み立て及び解体に手間がかかると共に、構成部材数が多くなるという問題がある。
【０００５】
更に、上下足場板の配置は、一本の支柱６１の長さに該当する間隔となり、上下足場板間に掛け渡す階段がその分長くなり、重量も重くなって上げ下ろしのための取り扱いが不便で重労働になるだけでなく、長い階段は昇降に危険を伴い、手すりの使用が必要になり、そのため、部材数が多くなり、取り付けと解体に余分な手間がかかることになる。
【０００６】
また、支柱６１を継ぎ足していく作業は、図１４のように、足場板の上に載って行うが、従来の構築方法ては、支柱６１の上端部にかけ渡した水平材６２間に足場板が架設されるため、足場板の上に何もなく、足場板上での支柱６１の継ぎ足し作業が極めて不安定な状態となり、墜落事故が発生する危険がある。
【０００７】
そこで、この発明の課題は、支柱の座屈長を半減でき、荷重支持強度が向上すると共に、構成部材数の削減と作業通路の確保が可能となり、しかも階段の短尺軽量化と手すりの省略が図れ、かつ、支柱の継ぎ足し作業の安全確保が実現できる仮設構造物の構築方法を提供することにある。
【０００８】
【課題を解決するための手段】
上記のような課題を解決するため、請求項１の発明は、上下軸方向に所定の間隔で孔付きのフランジが固定され、順次継ぎ足しが可能となる支柱と、両端に上位フランジとの結合金具が取り付けられ、両側に起立させた支柱を結合する水平パイプの途中に、下部広がりに配置することができるよう二本の斜材を枢止し、この斜材の端部に下位フランジとの結合金具が取り付けられた筋交い部材と、対向する筋交い部材の水平パイプ間にかけ渡す足場板とを用い、前記筋交い部材での結合間隔に一致する間隔で四方の位置に起立配置した支柱を筋交い部材で平面視矩形の枠状に結合すると共に、対向する筋交い部材の水平パイプ間に足場板をかけ渡して基本枠柱体を組み立て、複数の前記基本枠柱体を筋交い部材での結合間隔に一致する距離だけ水平方向へ離れた位置に並べて配置し、隣接する基本枠柱体の支柱を筋交い部材で結合して仮設構造物を構築し、隣接する基本枠柱体の支柱を筋交い部材で結合する場合に、この筋交い部材を、隣接する基本枠柱体の同一垂直外面において、基本枠柱体の筋交い部材と上下に段差を生じさせた配置とする構成を採用したものである。
【００１０】
請求項２の発明は、請求項１の発明において、上記支柱を筋交い部材で結合した後、筋交い部材の斜材の下端部間を水平材で結合し、端部支柱の座屈強度を向上させる構成を採用したものである。
【００１１】
【発明の実施の形態】
以下、この発明の実施の形態を図示例と共に説明する。
【００１２】
図１乃至図３は、仮設構造物として支保工を組み立てた状態を示し、この支保工の基本的な構成部材は、ジャッキベース１と、このジャッキベース１上に起立させると共に、上方に継ぎ足していく複数種類の支柱２と、隣接する支柱２を互いに結合する筋交い部材３と、筋交い部材３の間に架設する足場板４と、段差のある隣接足場板４間に掛け渡す階段５とからなり、更に必要に応じて、筋交い部材３の下部において、隣接する支柱２を互いに結合するための補強水平材６と、支柱２の上端部に取り付ける二又ブラケット７と、この二又ブラケット７に取り付ける大引受け８、隣接する支柱を直接結合するための水平材９等が用意されている。
【００１３】
図７は、ジャッキベース１と支柱２の種類を示し、四箇所の位置に孔付きのフランジ１０が固定された長さ３６００ｍｍの長尺支柱２ａと、この長尺支柱２ａの半分の長さを有し、中間部と上端部の位置に孔付きのフランジ１０が固定された繁用の中間支柱２ｂと、中間支柱２ｂの半分の長さを有し、三箇所の位置に孔付きのフランジ１０が固定された上部継ぎ足し支柱２ｃと、上部継ぎ足し支柱２ｃの三分の一の長さを有し、上端に孔付きのフランジ１０が固定された端尺の下部支柱２ｄと、四箇所の位置に孔付きのフランジ１０が固定された伸縮支柱２ｅとがある。
【００１４】
上記伸縮支柱２ｅを除く各支柱２ａ〜２ｄは所定の直径を有する鋼管を用いて形成し、上端に接続用の小径ジョイントパイプ１１が設けられ、ジョイントパイプ１１と各支柱２ａ〜２ｄは、嵌合部分をピン結合したり、ジョイントパイプ１１に設けた既知のロック機構によって結合するようになっていると共に、伸縮支柱２ｅは、大径パイプ１２とこれに嵌合する小径パイプ１３からなり、大径パイプ１２に対して小径パイプ１３を所望の引き出し位置でピン結合し、小径パイプ１３の上端に大引受け８が取り付けられるようになっている。
【００１５】
図８は、筋交い部材３を示し、両端に支柱２のフランジ１０との結合金具１４が取り付けられ、両側に起立させた支柱２を結合する鋼管製の水平パイプ１５と、この水平パイプ１５の途中にそれぞれ上端がピン１６で枢止され、ハ字状の下部広がりに配置することができる二本の斜材１７とからなり、斜材１７の下端部に支柱２の下位フランジ１０に対する結合金具１４が取り付けられている。
【００１６】
この筋交い部材３は、両側の長尺支柱２ａ又は中間支柱２ｂを互いに結合するためのものであり、上位に位置するフランジ１０に結合金具１４を締結することで、両側の支柱２を水平パイプ１５で結合したとき、斜材１７の結合金具１４が下位のフランジ１０と結合できるような条件になっていると共に、使用しないときは水平パイプ１５に斜材１７が沿うよう嵩低く折り畳むことができる。
【００１７】
この筋交い部材３は、例えば長尺支柱２ａ又は中間支柱２ｂの結合間隔が、１８００ｍｍ、１２００ｍｍ、９００ｍｍの三種類が用意され、支保工や足場の組み立て条件に応じて選択できるようにしている。
【００１８】
前記した足場板４は、両端部に一対のフックを設けた周知の構造を有し、筋交い部材３の水平パイプ１５間に架設するようになつている。この足場板は１８００ｍｍの間隔の水平パイプ１５間に架設することができ、また、幅は複数種類の組み合わせによって、１８００ｍｍ、１２００ｍｍ、９００ｍｍの三種類に対応し得るよう、三種類の幅の異なるものが用意されている。
【００１９】
図１１は、二又ブラケット７を示し、支柱２のジョイントパイプ１１に外嵌する端尺パイプ１８の両側に水平パイプ１９を直線状に固定し、両水平パイプ１９の端部に大引受け８の保持筒２０を垂直に固定し、両水平パイプ１９の端部から下部中央に向かう斜材２１の下端に、支柱２の途中に外嵌してボルト２２で固定する平面コ字状のクランプ２３を設けた構造になっている。
【００２０】
図９は、筋交い部材３における斜材１７の下端部間を結合するための補強水平材６を示し、所定の長さを有する鋼管パイプの両端にピン２４で結合した一対のリンクプレート２５と２６の一方を鋼管パイプに溶接で固定すると共に、他方をピン２４を支点に回動自在とし、固定リンクプレート２５の先端に結合用のピン２７を固定すると共に、回動リンクプレート２６の先端下縁にピン２７への嵌合切り欠き２８を設けた構造になっている。
【００２１】
この補強水平材６は、筋交い部材３の斜材１７の下端部間を結合することにより、端部に位置する支柱２の座屈強度を向上させるためのものであり、斜材１７の下端部には、図７に示すように、ピン２７の結合孔２８が設けてあり、図８（Ｂ）に一点鎖線のように、回動リンクプレート２６を上方に起こした状態でピン２７を結合孔２８に挿入し、その後回動リンクプレート２６を倒せば、図１のように、補強水平材６で斜材１７の下端部間を介して支柱２を互いに結合でき、中間支柱２ｂの途中を互いに結合することにより、構造物としの支保工の座屈強度を向上させることができる。
【００２２】
図１０は、隣接する支柱２を直接結合するための水平材９を示し、所定の長さを有する鋼管パイプの両端にフランジ１０に対する結合金具１４を設けた構造になっている。
【００２３】
図１２（Ａ）乃至（Ｄ）は、各支柱２のフランジ１０に対する結合金具１４の構造を示している。この結合金具１４は、図８で示した筋交い部材３の水平パイプ１５や斜材１７の端部、図９で示した補強水平材６、図１０で示した水平材９等に水平状態で固定されるホルダー部材３１と、このホルダー部材３１内でフランジ１０とホルダー部材３１を締結する楔部材３２との組み合わせからなり、ホルダー部材３１は、上下に細長い前壁３３の両側に後方へ屈曲する側壁を折り曲げ連成し、該水平パイプや斜材等の端部に対して対向する両側壁の後端を溶接し、両側壁間の上下面が楔部材３２を挿通するための開口３４になっている。
【００２４】
このホルダー部材３１の前後方向の長さが、フランジ１０の結合用の孔３５を設けた部分の半径方向の長さよりも長く形成され、このホルダー部材３１には、フランジ１０の厚みに対して外嵌挿する切り欠き３６が先端部から水平方向に沿って設けられ、その先端壁３３を支柱２の外周に当接させることができるように切り欠き３６の深さが設定されている。上記切り欠き３６をフランジ１０に外嵌挿すれば、ホルダー部材３１と水平パイプ１５や斜材１７等は回転が阻止されることになる。
【００２５】
上記楔部材３２は、フランジ１０の結合用の孔３５に対して上部から差し込む楔部３７と、この楔部３７の途中に設けた水平部３８と、該水平部３８の先端から直角に垂下してフランジ１０の外周と水平水平パイプ１５や斜材１７等の端部間に納まる杆状部３９とで二又状に形成され、楔部３７は下端に向けて狭幅となり、ホルダー部材３１の前壁３３の内面に当接させる前縁が垂直で結合用の孔３５の端部に当接する後縁が傾斜縁になっている。なお、楔部３７は図示のような下部狭幅形状以外に、ストレートな形状を採用してもよい。
【００２６】
この楔部３７の上端と杆状部３９の下端に抜け止め用のピン４０、４１が固定され、ホルダー部材３１内に挿入した楔部材３２の楔部３７を結合用の孔３５に差し込んだ状態で、楔部３７の上端がホルダー部材３１の上面に突出すると共に、杆状部３７の下端がホルダー部材３１の下面から下方に突出することになる。
【００２７】
また、杆状部３９の内側縁には、係止段部４２が設けてあり、この係止段部４２をホルダー部材３１の下部横桟４３に係止すれば、図１１（Ａ）の如く、楔部材３２の楔部３７がフランジ１０と干渉しない位置に保持でき、ホルダー部材３１の切り欠き３６をフランジ１０に対して楔部材３２に関係なく嵌挿することができる。
【００２８】
フランジ１０にホルダー部材３１を嵌挿すると、杆状部３９の内側縁がフランジ１０に当接することにより、係止段部４２が下部横桟４３から外れ、楔部材３２は、自重で落下して楔部３７が結合用の孔３５に落ち込み、図１１（Ｃ）に示すように、前壁３３が支柱２に圧接した状態で楔部３７がフランジ１０とホルダー部材３１を固定化することになる。
【００２９】
次に、仮設構造物である支保工の構築方法を説明する。
【００３０】
先ず、図４と図５のように、床面の四方の位置にジャッキベース１を配置し、このジャッキベース１上に下部支柱２ｄを接続し、四方の下部支柱２ｄをフランジ１０への結合金具１４の締結により、図１と図２で示した如く水平材９で平面視矩形の枠状に結合し、続いて上記各下部支柱２ｄ上に中間支柱２ｂを接続し、四方に起立させた中間支柱２ｂの一組の対面する二面において、水平材９間に足場板４をかけ渡し、その上に載って四面における中間支柱２ｂの上位フランジ１０を筋交い部材３の水平パイプ１５で結合し、斜材１７の下端を中間支柱２ｂの下位フランジ１０と結合し、上記により筋交い部材３が四面で平面視枠状の配置となり、一組の対面する二面において、その水平パイプ１５間に足場板４を架設する。
【００３１】
上記のように、中間支柱２ｂの上端への中間支柱２ｂの継ぎ足しと、継ぎ足した中間支柱２ｂの四面において、上位フランジ１０を筋交い部材３の水平パイプ１５で結合し、かつ斜材１７の下端を中間支柱２ｂの下位フランジ１０と結合し、対向する水平パイプ１５間に足場板４を架設する作業を上方に繰り返すことにより、図３のように、基本枠柱体（Ａ）を組み上げていく。
【００３２】
図１と図４、図５の例において、上記基本枠柱体（Ａ）の隣接する部分で、基本枠柱体（Ａ）を構成する中間支柱２ｂの間隔（スパン）に等しい距離、即ち、筋交い部材３での結合間隔に一致する距離だけ水平方向へ離れた位置に同様の手順で基本枠柱体（Ａ）を組み上げ、このようにして基本枠柱体（Ａ）を筋交い部材３での結合間隔に一致する間隔を設けて平面的に碁盤の目状に配置し、隣接する各基本枠柱体（Ａ）の中間支柱２ｂを筋交い部材３により上記と同様の手順で結合し、対向する水平パイプ１５間に足場板４をかけ渡し、このようにして各基本枠柱体（Ａ）を筋交い部材３で結合して図１乃至図５のように支保工を構築する。なお、段差の生じた足場板４間には階段５を配置すると共に、必要に応じて支保工の外部の所望位置に荷受けフレーム等を取り付けることができ、基本枠柱体（Ａ）の組み上げに長尺支柱２ａを使用すれば、中間支柱２ｂの継ぎ足しに要した作業の回数を削減出来る。
【００３３】
上記基本枠柱体（Ａ）は平面枠状に組立てられており、図３で示すように、組立てられた基本枠柱体（Ａ）は、四面の外部垂直面を有し、対向する外部垂直面において支柱２を結合する筋交い部材３は同じ高さ位置で結合するように配置すると共に、隣接する外部垂直面における筋交い部材３は上下に半ピッチ位置をずらした配置になるようにし、このようにして組立てられた基本枠柱体（Ａ）は、これを碁盤の目状に配置することにより、隣接する各基本枠柱体（Ａ）は、一つの外部垂直面が並び方向に沿って同一垂直面となって並ぶことになり、隣接する基本枠柱体（Ａ）は、この並び方向に沿う同一の外部垂直面において互いに筋交い部材３で結合する。隣接する基本枠柱体（Ａ）を並び方向に沿う同一の外部垂直面において互いに筋交い部材３で結合するとき、図１乃至図５で示すように、各基本枠柱体（Ａ）の組み立てに用いた筋交い部材３と、隣接する各基本枠柱体（Ａ）を結合するための筋交い部材３の配置を上下に段差を生じさせた配置とする。
【００３４】
即ち、隣接する各基本枠柱体（Ａ）を結合する筋交い部材３は、中間支柱２ｂの下位フランジ１０間に水平パイプ１５をかけ渡し、斜材１７端を中間支柱２ｂの上端に位置する上位フランジ１０に結合する。
【００３５】
このような筋交い部材３の配置により、各基本枠柱体（Ａ）の筋交い部材３と、隣接する基本枠柱体（Ａ）を結合する筋交い部材３の水平パイプ１５は、上下に半ピッチずれた配置となり、これにより、隣接する各基本枠柱体（Ａ）を結合する筋交い部材３を基本枠柱体（Ａ）の筋交い部材３と同じ高さの配置とした場合に比べ、支柱２ｂの座屈長を半減でき、基本枠柱体（Ａ）の荷重支持強度を向上させることができる。
【００３６】
また、筋交い部材３は、水平パイプ１５の下部両側に斜材１７を下部広がりのハ字状に配置して使用するので、筋交い部材３の中央下部に障害物の発生がなく、このため、水平パイプ１５間にかけ渡した足場板４上に作業通路を確保することができる。
【００３７】
図６は、構築した支保工における足場板４の平面的な配列パターンの異なった例を示し、基本枠柱体（Ａ）には対向する同一高さの筋交い部材３おけるに水平パイプ１５間に足場板４を架設し、隣接する基本枠柱体（Ａ）間においては、隣接する基本枠柱体（Ａ）を互いに結合するために用いた筋交い部材３を使用し、この隣接する基本枠柱体（Ａ）を結合する筋交い部材３で、基本枠柱体（Ａ）に仮設した足場板４と同一高さとなる筋交い部材３の水平パイプ１５間に足場板４を架設すれば、足場板４で同一平面に通路を形成することができ、足場板４の欠如した部分が下階隣接足場板４との間に階段５を掛ける部分となる。
【００３８】
また、図２は、基本枠柱体（Ａ）の隣接する二面に枠柱体を直接建て増しをしながら支保工を構築する例を示し、基本枠柱体（Ａ）の対面位置に二本の支柱２を上記と同様にして立設し、基本枠柱体（Ａ）の支柱２と筋交い部材３で結合するとき、基本枠柱体（Ａ）の筋交い部材３に対して上下に半ピッチ段差を生じさせた配置で行うものである。
【００３９】
このような組み立ての支保工において、端部に位置する支柱の座屈強度を向上させるときは、筋交い部材３における斜材１７の下端部間を補強水平材６で結合するようにすればよい。
【００４０】
図１３は、上記支保工の構築時における支柱２ｂの継ぎ足し作業の状態を示し、筋交い部材３を上下に半ピッチ段差を生じさせた配置とすることにより、下位筋交い部材３間に架設した足場板４に載り、支柱２ｂの継ぎ足しを行うときに、中間支柱２ｂの継ぎ足し部分が作業者の腰の高さ程度の位置となり、足場板４の四隅には中間支柱２ｂの上半部が位置することにより、手すり支柱の役目を果たし、継ぎ足し作業の安全性が確保でき、墜落の防止が図れる。
【００４１】
また、筋交い部材３を上下に半ピッチ段差を生じさせた配置とすることにより、筋交い部材３の水平パイプ１５間に掛け渡す足場板４の配置において、隣接する上下の足場板４の段差が支柱２の上下長さの半分となり、例えば、図４、図５に示すように、中間支柱２ｂが１８００ｍｍの長さであれば、隣接する上下足場板４の段差は９００ｍｍと半分になり、これによって、隣接する上下足場板４間に掛け渡す階段５の長さは従来に比べて略半分の長さとなり、階段５の短尺化と軽量化が実現でき、取り付け取り外し作業の容易化だけでなく、このような短尺の階段５では手すりが不要になり、しかも昇り降りの安全性も向上する。
【００４２】
図１は、支保工の上部構造の一例を示し、最上部中間支柱２ｂの上端に上部継ぎ足し支柱２ｃを接続し、基本枠柱体（Ａ）上において、隣接する上部継ぎ足し支柱２ｃを水平材９で結合すると共に、上部継ぎ足し支柱２ｃにそれぞれ二又ブラケット７を同一面の配置となるよう取り付け、二又ブラケット７の両側保持筒２０に大引受け８を装着し、スラブ型枠Ｂの下面を受ける大引Ｃを該大引受け８で支持する。
【００４３】
図１で示したように、基本枠柱体（Ａ）の上部継ぎ足し支柱２ｃ上に二又ブラケット７を取り付けることにより、大引受け８の配置数を倍増することができ、かつ、隣接する二又ブラケット７間に作業通路を確保できることになる。
【００４４】
なお、図示実施の形態では、仮設構造物として支保工を例示したが、上記各構成部材を用いることにより、仮設構造物として、外部足場、室内作業足場、イベント等のスタンド、ローリングタワー等を構築することができる。
【００４５】
【発明の効果】
以上のように、この発明によると、上下軸方向に所定の間隔で孔付きのフランジが固定された支柱と、両端にフランジとの結合金具が取り付けられた水平パイプの途中に、下部広がりに配置できる二本の斜材を枢止し、この斜材の端部にフランジとの結合金具が取り付けられた筋交い部材と、対向する筋交い部材の水平パイプ間にかけ渡す足場板からなり、該筋交い部材は、水平パイプの結合金具を上位のフランジに結合した状態で斜材の結合金具が下位のフランジに結合でき、仮設構造物を構築する場合に、この仮設構造物の一スパン毎に隣接するスパンの筋交い部材を上下に段差を生じさせた配置とするようにしたので、隣接する支柱を結合する水平パイプの上下配置が両側交互に半ピッチごとの間隔になり、これにより、支柱の座屈長を半減でき、荷重支持強度を大幅に向上させることができる。
【００４６】
また、筋交い部材が、水平パイプの途中に下部広がりに配置できる二本の斜材を枢止した構造になっているので、筋交い部材の下部中央に障害物がなくなり、足場板上に連続した作業通路を確保することができ、作業性の向上が図れると共に、水平パイプと斜材の結合により、構成部材数の削減が可能となる。
【００４７】
さらに、仮設構造物の一スパン毎に隣接するスパンの筋交い部材を上下に段差を生じさせた配置とすることにより、隣接する足場板の上下間隔を半減でき、これによって、階段の短尺化と軽量化が図れることになる。
【図面の簡単な説明】
【図１】仮設構造物として構築した支保工の正面図
【図２】仮設構造物として構築した支保工の斜視図
【図３】仮設構造物として構築した支保工の要部を示す斜視図
【図４】仮設構造物として構築する支保工の組み立て途中を示す正面図
【図５】同上の側面図
【図６】支保工に対する足場板の配列状態を示す他の例の斜視図
【図７】（Ａ）乃至（Ｅ）は支柱の異なった例を示す正面図、（Ｆ）はジャッキベースの正面図
【図８】（Ａ）は筋交い部材の正面図、（Ｂ）は同筋交い部材の支柱への結合状態を示す拡大正面図
【図９】（Ａ）は補強水平材を示す正面図、（Ｂ）はこの水平材の端部構造を示す拡大正面図、（Ｃ）は同拡大平面図
【図１０】水平材の正面図
【図１１】（Ａ）は二又ブラケットを示す正面図、（Ｂ）は同底面図
【図１２】（Ａ）は結合金具の縦断正面図、（Ｂ）は同上のフランジに対する結合途中の状態を示す縦断正面図、（Ｃ）は同結状態を示す縦断正面図、（Ｄ）は同結状態の平面図
【図１３】支柱の接続作業を示す説明図
【図１４】従来の支柱の接続作業を示す説明図
【図１５】従来の支保工の座屈発生を示す説明図
【符号の説明】
１      ジャッキベース
２      支柱
３      筋交い部材
４      足場板
５      階段
６      補強水平材
７      二又ブラケット
８      大引受け
９      水平材
１０    フランジ
１４    結合金具
１５    水平パイプ
１７    斜材
【図１】
0004312323.tif 000002
【図２】
0004312323.tif 000003
【図３】
0004312323.tif 000004
【図４】
0004312323.tif 000005
【図５】
0004312323.tif 000006
【図６】
0004312323.tif 000007
【図７】
0004312323.tif 000008
【図８】
0004312323.tif 000009
【図９】
0004312323.tif 000010
【図１０】
0004312323.tif 000011
【図１１】
0004312323.tif 000012
【図１２】
0004312323.tif 000013
【図１３】
0004312323.tif 000014
【図１４】
0004312323.tif 000015
【図１５】
0004312323.tif 000016